(57)【要約】【課題】  高ズーム比であり、全ズーム範囲において高い光学性能が得られ、撮像装置に適用した際に撮像装置の厚さを薄くすることができるズームレンズ及びそれを用いた撮像装置を提供すること。【解決手段】  物体側より像側へ順に、正の屈折力の第１レンズ群、負の屈折力の第２レンズ群、光路を折り曲げるための反射部材、複数のレンズ群を含む後群を有し、広角端から望遠端へのズーミングに際して、少なくとも第１レンズ群と第２レンズ群が移動するズームレンズにおいて、広角端から望遠端へのズーミングの際の第１レンズ群の像面に対する移動量Ｘ１、広角端から望遠端へのズーミングの際の第２レンズ群の像面に対する移動量Ｘ２、第１レンズ群の焦点距離ｆ１、広角端における全系の焦点距離ｆｗ、望遠端における全系の焦点距離ｆｔをそれぞれ適切に設定すること。【選択図】  図１
2014109666.tif 000002
【特許請求の範囲】
【請求項１】
物体側より像側へ順に、正の屈折力の第１レンズ群、負の屈折力の第２レンズ群、光路を折り曲げるための反射部材、複数のレンズ群を含む後群を有し、
広角端から望遠端へのズーミングに際して、少なくとも前記第１レンズ群と前記第２レンズ群が移動するズームレンズにおいて、
広角端から望遠端へのズーミングの際の前記第１レンズ群の像面に対する移動量をＸ１、広角端から望遠端へのズーミングの際の前記第２レンズ群の像面に対する移動量をＸ２、前記第１レンズ群の焦点距離をｆ１、広角端における全系の焦点距離をｆｗ、望遠端における全系の焦点距離をｆｔとしたとき、
０．０２  ＜  （｜Ｘ１｜＋｜Ｘ２｜）／ｆｔ  ＜  ０．２０
６．００  ＜  ｆ１／ｆｗ  ＜  ２０．００
なる条件式を満足することを特徴とするズームレンズ。
【請求項２】
前記第２レンズ群の焦点距離をｆ２としたとき、
０．０３  ＜  ｜ｆ２｜／ｆｔ  ＜  ０．１０
なる条件式を満足することを特徴とする請求項１に記載のズームレンズ。
【請求項３】
前記後群の中で最も物体側に位置するレンズ群を第３レンズ群として、該第３レンズ群の焦点距離をｆ３としたとき、
５０  ＜  ｜ｆ３｜／√（ｆｗ×ｆｔ）  ＜  ４．００
なる条件式を満足することを特徴とする請求項１または２に記載のズームレンズ。
【請求項４】
前記後群の中で最も物体側に位置するレンズ群を第３レンズ群として、前記第２レンズ群の広角端における横倍率をβ２ｗ、前記第２レンズ群の望遠端における横倍率をβ２ｔ、前記第３レンズ群の広角端における横倍率をβ３ｗ、前記第３レンズ群の望遠端における横倍率をβ３ｔとしたとき、
６．００  ＜  （β２ｔ／β２ｗ）×（β３ｔ／β３ｗ）  ＜  ２５．００
なる条件式を満足することを特徴とする請求項１乃至３のいずれか１項に記載のズームレンズ。
【請求項５】
前記第１レンズ群は少なくとも１枚の負レンズを有し、該負レンズのｄ線に対する屈折率をＮｄ１ｎとしたとき、
１．９３  ＜  Ｎｄ１ｎ  ＜  ２．５０
なる条件式を満足することを特徴とする請求項１乃至４のいずれか１項に記載のズームレンズ。
【請求項６】
前記第１レンズ群の光軸上の厚さをＴ１、前記第２レンズ群の光軸上の厚さをＴ２としたとき、
０．０５  ＜  （Ｔ１＋Ｔ２）／ｆｔ  ＜  ０．２０
なる条件式を満足することを特徴とする請求項１乃至５のいずれか１項に記載のズームレンズ。
【請求項７】
前記後群の中で最も物体側に位置するレンズ群を第３レンズ群として、前記第３レンズ群は１枚の負レンズで構成されることを特徴とする請求項１乃至６のいずれか１項に記載のズームレンズ。
【請求項８】
前記後群は物体側から像側へ順に、負の屈折力の第３レンズ群、正の屈折力の第４レンズ群、負の屈折力の第５レンズ群、正の屈折力の第６レンズ群より構成されることを特徴とする請求項１乃至７のいずれか１項に記載のズームレンズ。
【請求項９】
前記後群は物体側から像側へ順に、負の屈折力の第３レンズ群、正の屈折力の
第４レンズ群、正の屈折力の第５レンズ群より構成されることを特徴とする請求項１乃至８のいずれか１項に記載のズームレンズ。
【請求項１０】
前記後群は物体側から像側へ順に、負の屈折力の第３レンズ群、正の屈折力の第４レンズ群、正の屈折力の第５レンズ群、負の屈折力の第６レンズ群、正の屈折力の第７レンズ群より構成されることを特徴とする請求項１乃至９のいずれか１項に記載のズームレンズ。
【請求項１１】
請求項１乃至１０のいずれか１項に記載のズームレンズと、該ズームレンズによって形成される像を受光する固体撮像素子とを有することを特徴とする撮像装置。
【発明の詳細な説明】
【技術分野】
【０００１】
本発明はズームレンズ及びそれを有する撮像装置に関し、例えば電子スチルカメラ、ビデオカメラ、放送用カメラ、監視カメラのような固体撮像素子を用いた撮像装置、或いは銀塩写真フィルムを用いたカメラ等の撮像装置に好適なものである。
【背景技術】
【０００２】
近年、固体撮像素子を用いた撮像装置は高機能化や小型化が進み、こうした撮像装置に用いられるズームレンズは、撮像装置の高機能化、小型化、及び薄型化に寄与するものであることが求められている。
【０００３】
撮像装置を小型化しつつ、高ズーム比を実現させるために、非撮影時には各レンズ群の間隔を撮影状態とは異なる間隔まで縮小して撮像装置筐体内に収納する、沈胴式のズームレンズが知られている。また、撮像装置の厚さを薄くするために、光路中に反射プリズムを配置して撮影光学系の光軸を９０°折り曲げる、屈曲式のズームレンズが知られている。
【０００４】
さらに、沈胴式と屈曲式の複合方式として、非撮影時に反射プリズムが移動し、反射プリズムの移動により生じた空間に、反射プリズムより物体側に位置するレンズ群が沈胴して収納される屈曲沈胴式のズームレンズが知られている（特許文献１、２、３）。
【先行技術文献】
【特許文献】
【０００５】
【特許文献１】特開２０１０−１５２３１８号公報
【特許文献２】特開２０１１−０５３２９５号公報
【特許文献３】特開２０１２−０２７０８４号公報
【発明の概要】
【発明が解決しようとする課題】
【０００６】
一般に、高ズーム比を実現し、全系の小型化を図るためには、ズームレンズを構成する各レンズ群の屈折力（光学的パワー、つまり焦点距離の逆数）を強めつつ、レンズ枚数を削減すればよい。しかし、こうしたズームレンズは、各レンズの屈折力の増加に伴い、コバ厚を確保するためにレンズ肉厚が増大してしまい、レンズ全長を十分に短縮することができない。
【０００７】
ズームレンズにおいて、高ズーム比を実現し、レンズ系全体の小型化を図るには、各レンズ群の屈折力やズーミングに伴う移動条件等を適切に設定することが重要である。さらに、光路を屈曲させる反射部材（反射プリズムや反射ミラー）を用いることにより撮像装置の厚さを薄くすることもできる。しかし、ズーミングの際の各レンズ群の移動量や、光路中の反射部材の配置が適切でないと、ズーミングに伴う諸収差の変動が大きくなり、さらには撮像装置の小型化を実現することができない。
【０００８】
これらの効果を得るためには、ズームレンズのレンズ構成を適切に設定し、かつ、反射部材の光路中における配置、そしてズーミングの際の各レンズ群の移動量等を適切に設定することが重要になる。特に、各レンズ群の屈折力やズーミング時の変倍用のレンズ群の移動量等が適切でないと、ズーミングの際の諸収差の変動が大きくなり、またレンズ系の小型化が困難になる。
【０００９】
本発明は、高ズーム比であり、全ズーム範囲において高い光学性能が得られ、撮像装置に適用した際に撮像装置の厚さを薄くすることができるズームレンズ及びそれを用いた撮像装置を提供することを目的とする。
【課題を解決するための手段】
【００１０】
物体側より像側へ順に、正の屈折力の第１レンズ群、負の屈折力の第２レンズ群、光路を折り曲げるための反射部材、複数のレンズ群を含む後群を有し、広角端から望遠端へのズーミングに際して、少なくとも第１レンズ群と第２レンズ群が移動するズームレンズにおいて、広角端から望遠端へのズーミングの際の第１レンズ群の像面に対する移動量をＸ１、広角端から望遠端へのズーミングの際の第２レンズ群の像面に対する移動量をＸ２、第１レンズ群の焦点距離をｆ１、広角端における全系の焦点距離をｆｗ、望遠端における全系の焦点距離をｆｔとしたとき、
０．０２  ＜  （｜Ｘ１｜＋｜Ｘ２｜）／ｆｔ  ＜  ０．２０
６．００  ＜  ｆ１／ｆｗ  ＜  ２０．００
なる条件式を満足することを特徴とする。
【発明の効果】
【００１１】
本発明によれば、高ズーム比であり、全ズーム範囲において高い光学性能を有し、撮像装置に適用した際に撮像装置の厚さを薄くすることができるズームレンズが得られる。
【図面の簡単な説明】
【００１２】
【図１】実施例１のズームレンズの光路を展開したときの広角端におけるレンズ断面図
【図２】（Ａ）、（Ｂ）、（Ｃ）は実施例１のズームレンズの広角端、中間のズーム位置、望遠端における収差図
【図３】実施例２のズームレンズの光路を展開したときの広角端におけるレンズ断面図
【図４】（Ａ）、（Ｂ）、（Ｃ）は実施例２のズームレンズの広角端、中間のズーム位置、望遠端における収差図
【図５】実施例３のズームレンズの光路を展開したときの広角端におけるレンズ断面図
【図６】（Ａ）、（Ｂ）、（Ｃ）は実施例３のズームレンズの広角端、中間のズーム位置、望遠端における収差図
【図７】実施例４のズームレンズの光路を展開したときの広角端におけるレンズ断面図
【図８】（Ａ）、（Ｂ）、（Ｃ）は実施例４のズームレンズの広角端、中間のズーム位置、望遠端における収差図
【図９】実施例５のズームレンズの光路を展開したときの広角端におけるレンズ断面図
【図１０】（Ａ）、（Ｂ）、（Ｃ）は実施例５のズームレンズの広角端、中間のズーム位置、望遠端における収差図
【図１１】本発明の実施例１のズームレンズのレンズ断面図
【図１２】本発明の撮像装置の要部概略図
【発明を実施するための形態】
【００１３】
以下、本発明のズームレンズ及びそれを有する撮像装置について説明する。本発明の実施例のズームレンズは、物体側より像側へ順に、正の屈折力の第１レンズ群、負の屈折力の第２レンズ群、光学系の光軸を９０度（９０度±１０度以内であればよい）折り曲げる反射プリズムを有している。さらに反射プリズムより像側に複数のレンズ群を含む後群を備えている。ここで反射プリズムは反射ミラー等の反射部材であってもよい。
【００１４】
広角端（短焦点距離端）から望遠端（長焦点距離端）へのズーミングの際に第１レンズ群は物体側へ移動し、第２レンズ群は像側へ移動する。沈胴収納時には反射プリズムが、撮影時とは異なる位置に移動し、反射プリズムの移動によって生じた空間に、第１レンズ群及び第２レンズ群の少なくとも一部が沈胴収納される。
【００１５】
実施例１〜実施例３のズームレンズでは、後群は、物体側より像側へ順に負の屈折力の第３レンズ群、正の屈折力の第４レンズ群、負の屈折力の第５レンズ群、正の屈折力の第６レンズ群より構成される。広角端から望遠端へのズーミングの際に、第３レンズ群は不動であり、第４レンズ群、第５レンズ群はそれぞれ移動する。
【００１６】
実施例４のズームレンズでは、後群は、物体側より像側へ順に負の屈折力の第３レンズ群、正の屈折力の第４レンズ群、正の屈折力の第５レンズ群より構成される。広角端から望遠端でのズーミングの際に、第３レンズ群は不動であり、第４レンズ群、第５レンズ群はそれぞれ移動する。
【００１７】
実施例５のズームレンズでは、後群は、物体側より像側へ順に負の屈折力の第３レンズ群、正の屈折力の第４レンズ群、正の屈折力の第５レンズ群、負の屈折力の第６レンズ群、正の屈折力の第７レンズ群より構成される。広角端から望遠端でのズーミングの際に、第３レンズ群、第７レンズ群は不動であり、第４レンズ群、第５レンズ群、第６レンズ群はそれぞれ移動する。
【００１８】
図１は実施例１のズームレンズの光路を展開したときの広角端におけるレンズ断面図である。図２（Ａ）、（Ｂ）、（Ｃ）はそれぞれ実施例１のズームレンズの広角端、中間のズーム位置、望遠端における収差図である。実施例１はズーム比２４．５３、開口比３．５１〜７．００程度のズームレンズである。
【００１９】
図３は実施例２のズームレンズの光路を展開したときの広角端におけるレンズ断面図である。図４（Ａ）、（Ｂ）、（Ｃ）はそれぞれ実施例２のズームレンズの広角端、中間のズーム位置、望遠端における収差図である。実施例２はズーム比４４．４１、開口比３．９１〜９．００程度のズームレンズである。
【００２０】
図５は実施例３のズームレンズの光路を展開したときの広角端におけるレンズ断面図である。図６（Ａ）、（Ｂ）、（Ｃ）はそれぞれ実施例３のズームレンズの広角端、中間のズーム位置、望遠端における収差図である。実施例３はズーム比４４．２０、開口比３．９１〜９．００程度のズームレンズである。
【００２１】
図７は実施例４のズームレンズの光路を展開したときの広角端におけるレンズ断面図である。図８（Ａ）、（Ｂ）、（Ｃ）はそれぞれ実施例４のズームレンズの広角端、中間のズーム位置、望遠端における収差図である。実施例４はズーム比３０．１８、開口比３．５１〜６．９９程度のズームレンズである。
【００２２】
図９は実施例５のズームレンズの光路を展開したときの広角端におけるレンズ断面図である。図１０（Ａ）、（Ｂ）、（Ｃ）はそれぞれ実施例５のズームレンズの広角端、中間のズーム位置、望遠端における収差図である。実施例５はズーム比２５．０８、開口比４．０１〜７．１０程度のズームレンズである。
【００２３】
図１１は、本発明の実施例１において反射プリズムに設けた内面反射面で光路を折り曲げたときのレンズ断面図である。
【００２４】
図１２は本発明のズームレンズを備えるデジタルスチルカメラ（撮像装置）の要部概略図である。各実施例のズームレンズはビデオカメラやデジタルスチルカメラ、銀塩フィルムカメラ、テレビカメラ等の撮像装置に用いられる撮像レンズ系である。なお、各実施例のズームレンズは投射装置（プロジェクタ）用の投射光学系としても用いることができる。レンズ断面図において左方が物体側（前方）で、右方が像側（後方）である。また、レンズ断面図において、ｉを物体側からのレンズ群の順番とするとＬｉは第ｉレンズ群を示す。
【００２５】
各実施例のレンズ断面図において、ＳＰは開口絞り、ＦＳはメカ絞りであり、Ｇは光学フィルター、フェースプレート、ローパスフィルター、赤外カットフィルター等に相当する光学ブロックである。広角端から望遠端へのズーミングに際して、開口絞りＳＰの径の大きさを変化させることができる。これにより広角端において大きく発生する軸外光束による上線コマフレアを最大限カットすることができ、良好な光学性能を得ることができる。
【００２６】
メカ絞りＦＳは開口径が固定であり、第４レンズ群Ｌ４または第５レンズ群Ｌ５に配置されている。メカ絞りＦＳの径を望遠端における軸上光線を遮ることのない最大限の大きさに設定することにより、全ズーム領域において軸外光線の上線コマフレアを最大限にカットすることができる。なお、メカ絞りＦＳは第４レンズ群Ｌ４または第５レンズ群Ｌ５と一体で移動するが、独立に移動する構成にしてもよい。
【００２７】
ＰＲは光学系の光軸を９０度（９０度±１０度以内であればよい）折り曲げる反射面を含む反射プリズムであり、ＩＰは像面である。ビデオカメラやデジタルカメラの撮像光学系としてズームレンズを使用する際には、像面ＩＰはＣＣＤセンサやＣＭＯＳセンサといった固体撮像素子（光電変換素子）に相当する。銀塩フィルムカメラの撮像光学系としてズームレンズを使用する際には、像面ＩＰはフィルム面に相当する。レンズ断面図中の矢印は広角端から望遠端へのズーミングの際の各レンズ群の移動軌跡を示している。
【００２８】
球面収差図においてＦｎｏはＦナンバーである。また実線はｄ線（波長５８７．６ｎｍ）、２点鎖線はｇ線（波長４３５．８ｎｍ）である。非点収差図において実線はｄ線におけるサジタル像面、点線はメリディオナル像面である。歪曲収差はｄ線について示している。倍率色収差図において２点鎖線はｇ線である。ωは撮像半画角である。なお、以下の各実施例において広角端と望遠端はそれぞれ、変倍用のレンズ群が機構上、光軸上を移動可能な範囲の両端に位置したときの各ズーム位置をいう。
【００２９】
実施例１〜４では第４レンズ群Ｌ４を、実施例５では第５レンズ群Ｌ５の一部または全体を光軸に対し垂直方向の成分を持つように移動させて、ズームレンズが振動したときの撮影画像のブレを補正するようにしても良い。また、光軸上に回転中心を持つようにレンズ群の全体または一部を回動させることにより、ブレ補正を行っても良い。
【００３０】
実施例１では、第５レンズ群Ｌ５を移動させることにより、フォーカシングを行っている。望遠端において無限遠物体から近距離物体へフォーカシングを行う際には、第５レンズ群Ｌ５が像側に移動する。なお、第６レンズ群Ｌ６を移動させることにより、フォーカシングを行ってもよい。実施例２、３では、第６レンズ群Ｌ６を移動させることにより、フォーカシングを行っている。望遠端において無限遠物体から近距離物体へフォーカシングを行う際には、第６レンズ群Ｌ６が物体側に移動する。なお、第５レンズ群Ｌ５を移動させることにより、フォーカシングを行ってもよい。
【００３１】
実施例４では、第５レンズ群Ｌ５を移動させることにより、フォーカシングを行っている。望遠端において無限遠物体から近距離物体へフォーカシングを行う際には、第５レンズ群Ｌ５が物体側に移動する。なお、第４レンズ群Ｌ４を移動させることにより、フォーカシングを行ってもよい。実施例５では、第６レンズ群Ｌ６を移動させることにより、フォーカシングを行っている。望遠端において無限遠物体から近距離物体へフォーカシングを行う際には、第６レンズ群Ｌ６が像側に移動する。なお、第５レンズ群Ｌ５または第７レンズ群Ｌ７を移動させることにより、フォーカシングを行ってもよい。
【００３２】
各実施例では、広角端から望遠端へのズーミングの際に、第１レンズ群Ｌ１を物体側へ移動させることにより、望遠端において第１レンズ群Ｌ１と第２レンズ群Ｌ２の間隔を拡大している。これにより、望遠端における焦点距離を長くすることが可能となり、容易に高ズーム比を実現することができる。また、各実施例では、反射プリズムを用いて光路を折り曲げることにより撮像装置の薄型化を実現している。ここで、反射プリズムより物体側に位置するレンズ群の移動量が撮像装置の厚さに大きな影響を与える。レンズ群の移動量を増やすことにより、高ズーム比を実現することはできるが、撮像装置が厚くなってしまう。各実施例では、レンズ群の移動量と屈折力を適正な範囲に設定することにより、高ズーム比と薄型化の両立を図っている。
【００３３】
また、各実施例では、後群の最も物体側に位置するレンズ群（第３レンズ群Ｌ３）は負の屈折力を有している。これにより、第３レンズ群Ｌ３より像側に位置するレンズ群の屈折力を強くして変倍負担を増やすことができる。さらに、第１レンズ群Ｌ１と第２レンズ群Ｌ２の変倍負担を減らすことができるため、撮像装置の薄型化を実現することができる。
【００３４】
各実施例のズームレンズでは、第１レンズ群Ｌ１の屈折力を強くすることで高ズーム比を実現している。また、第２レンズ群Ｌ２の屈折力をある程度強め、ズーミング時の第２レンズ群Ｌ２の移動量を減らすことにより、望遠端におけるレンズ全長の短縮を図っている。さらに、広角端から望遠端へのズーミングの際に第２レンズ群Ｌ２が像側に移動して、広角端よりも望遠端の第１レンズ群Ｌ１と第２レンズ群Ｌ２の間隔が広がることにより変倍作用を得ている。各実施例において、第２レンズ群Ｌ２は像側に単調移動している。また、第４レンズ群Ｌ４が物体側に移動し、第３レンズ群Ｌ３と第４レンズ群Ｌ４の間隔が狭くなることにより変倍作用を得ている。
【００３５】
各実施例において、広角端から望遠端へのズーミングの際の第１レンズ群Ｌ１、第２レンズ群Ｌ２の像面に対する移動量をＸ１、Ｘ２、第１レンズ群Ｌ１の焦点距離をｆ１、広角端における全系の焦点距離をｆｗ、望遠端における全系の焦点距離をｆｔとしたとき、
０．０２  ＜  （｜Ｘ１｜＋｜Ｘ２｜）／ｆｔ  ＜  ０．２０  …  （１）
６．００  ＜  ｆ１／ｆｗ  ＜  ２０．００  …  （２）
なる条件式を満足している。
【００３６】
ここで、移動量Ｘ１は、広角端における第１レンズ群Ｌ１の位置と望遠端における第１レンズ群Ｌ１の位置との光軸上の距離を示す。同様に、移動量Ｘ２は、広角端における第２レンズ群Ｌ２の位置と望遠端における第２レンズ群Ｌ２の位置との光軸上の距離を示す。
【００３７】
条件式（１）は第１レンズ群Ｌ１と第２レンズ群Ｌ２のズーミングの際の移動量の和｜Ｘ１｜＋｜Ｘ２｜と、望遠端における全系の焦点距離ｆｔの比を規定したものである。条件式（１）の上限値を超えて移動量｜Ｘ１｜＋｜Ｘ２｜が大きくなると、撮像装置の厚さが増大し、また、前玉径が増大するため好ましくない。条件式（１）の下限値を超えて移動量｜Ｘ１｜＋｜Ｘ２｜が小さくなると、高ズーム比を実現するために、第２レンズ群Ｌ２の屈折力を強くする必要が生じる。その結果、広角端において像面湾曲や倍率色収差の補正をすることが難しくなり、また全ズーム領域において画面周辺の像面の変動を抑制することが困難になるため好ましくない。
【００３８】
条件式（２）は、広角端における全系の焦点距離ｆｗと、第１レンズ群Ｌ１の焦点距離ｆ１の比を規定したものである。条件式（２）の上限値を超えてｆ１の値が大きくなると、高ズーム比を実現するために第１レンズ群Ｌ１の移動量を大きくする必要が生じる。その結果、撮像装置の厚さが増大するため好ましくない。条件式（２）の下限値を超えてｆ１の値が小さくなると、広角端において倍率色収差の補正が困難になり、望遠端において軸上色収差、倍率色収差が大きくなるため好ましくない。
【００３９】
各実施例では上記の如く、条件式（１）、（２）を満足するように各要素を適切に設定している。これにより高ズーム比であり、全ズーム範囲において高い光学性能を有し、撮像装置に適用した際に撮像装置の厚さを薄くすることができるズームレンズが得られる。なお、各実施例において、好ましくは条件式（１）、（２）の数値範囲を次のようにするのがよい。
０．０８  ＜  （｜Ｘ１｜＋｜Ｘ２｜）／ｆｔ  ＜  ０．２０  …  （１ａ）
６．００  ＜  ｆ１／ｆｗ  ＜  １２．００  …  （２ａ）
さらに好ましくは条件式（１）、（２）の数値範囲を次のように設定するのがよい。
０．１０  ＜  （｜Ｘ１｜＋｜Ｘ２｜）／ｆｔ  ＜  ０．２０  …  （１ｂ）
６．００  ＜  ｆ１／ｆｗ  ＜  １０．００  …  （２ｂ）
【００４０】
また、各実施例において、次の条件式のうち１つ以上を満足することが好ましい。ここで、第２レンズ群Ｌ２の焦点距離をｆ２、第３レンズ群Ｌ３の焦点距離をｆ３とする。さらに、広角端における第２レンズ群Ｌ２の横倍率をβ２ｗ、望遠端における第２レンズ群Ｌ２の横倍率をβ２ｔ、広角端における第３レンズ群Ｌ３の横倍率をβ３ｗ、望遠端における第３レンズ群Ｌ３の横倍率をβ３ｔとする。また、第１レンズ群Ｌ１を構成する負レンズのｄ線に対する屈折率の平均値をＮｄ１ｎ、第１レンズ群Ｌ１の光軸上の厚さをＴ１、第２レンズ群Ｌ２の光軸上の厚さをＴ２とする。レンズ群の光軸上の厚さとは、レンズ群の中で最も物体側の面から最も像側の面までの光軸上の距離を意味する。
【００４１】
このとき、
０．０３  ＜  ｜ｆ２｜／ｆｔ  ＜  ０．１０  …  （３）
１．５０  ＜  ｜ｆ３｜／√（ｆｗ×ｆｔ）  ＜  ４．００  …  （４）
６．００  ＜  （β２ｔ／β２ｗ）×（β３ｔ／β３ｗ）  ＜  ２５．００  …（５）
１．９３  ＜  Ｎｄ１ｎ  ＜  ２．５０  …  （６）
０．０５  ＜  （Ｔ１＋Ｔ２）／ｆｔ  ＜  ０．２０  …  （７）
なる条件式のうち、１つ以上を満足するのがよい。
【００４２】
条件式（３）は、望遠端における全系の焦点距離ｆｔと、第２レンズ群Ｌ２の焦点距離ｆ２の比を規定したものである。条件式（３）の上限値を超えて第２レンズ群Ｌ２の焦点距離の絶対値｜ｆ２｜が大きくなると、第２レンズ群Ｌ２の屈折力が弱くなる。このため、高ズーム比を実現するためには、第２レンズ群Ｌ２の移動量を大きくする必要が生じ、レンズ全長が増大し、撮像装置が大型になるため好ましくない。また、広角端におけるレンズ全長が長くなるため、画面周辺光量を確保するために前玉径が大きくなるので好ましくない。条件式（３）の下限値を超えて第２レンズ群Ｌ２の焦点距離の絶対値｜ｆ２｜が小さくなると、第２レンズ群Ｌ２の屈折力が強くなり、広角端から中間のズーム領域においてコマ収差や像面変動を補正することが困難になるため、好ましくない。
【００４３】
条件式（４）は、広角端における焦点距離、望遠端における焦点距離ｆｗ、ｆｔと、第３レンズ群Ｌ３の焦点距離ｆ３の比を規定したものである。条件式（４）の上限値を超えて、第３レンズ群Ｌ３の焦点距離の絶対値｜ｆ３｜が大きくなると、第３レンズ群Ｌ３の屈折力が弱くなる。その結果、第３レンズ群Ｌ３より像側に位置するレンズ群のズーミングに伴う像面変動を補正することが難しくなるため、好ましくない。条件式（４）の下限値を超えて、第３レンズ群Ｌ３の焦点距離の絶対値｜ｆ３｜が小さくなると、第３レンズ群Ｌ３の屈折力が強くなり、プリズムが大型化するため好ましくない。
【００４４】
条件式（５）は、第２レンズ群Ｌ２の結像倍率と、第３レンズ群Ｌ３の結像倍率の比を規定したものである。条件式（５）の上限値を超えて第２レンズ群Ｌ２の変倍作用が大きくなると、レンズ全長の短縮や前玉径の小型化には有利だが、像面湾曲及び非点収差が増大するため好ましくない。また、条件式（５）の上限値を超えて第３レンズ群Ｌ３の変倍作用が大きくなると、球面収差及びコマ収差が増大するため好ましくない。さらに、第３レンズ群Ｌ３の屈折力が強くなることで、望遠側における第３レンズ群Ｌ３の収差敏感度が大きくなり、製造誤差の影響を受けやすくなるため好ましくない。
【００４５】
条件式（５）の下限値を超えて、第２レンズ群Ｌ２または第３レンズ群Ｌ３の変倍作用が小さくなると、高ズーム比を実現するために第２レンズ群Ｌ２、第３レンズ群Ｌ３以外のレンズ群の変倍負担が大きくなる。変倍負担が大きくなったレンズ群は、移動量が大きくなり、撮像装置の大型を招くため好ましくない。さらに、変倍負担を高めるために屈折力を強くする必要が生じ、コマ収差や像面変動を補正することが困難になるため好ましくない。
【００４６】
条件式（６）は、第１レンズ群Ｌ１を構成する負レンズのｄ線に対する屈折率の平均値を規定したものである。条件式（６）の上限値を超えて第１レンズ群Ｌ１を構成する負レンズの屈折率が高くなると、ペッツバール和が増大し、像面湾曲を補正することが困難になるため好ましくない。条件式（６）の下限値を超えて第１レンズ群Ｌ１を構成する負レンズの屈折率が低くなると、当該負レンズの曲率がきつくなり、第１レンズ群Ｌ１の厚さが増大し、撮像装置の大型化を招くため好ましくない。
【００４７】
条件式（７）は、望遠端における全系の焦点距離ｆｔと、第１レンズ群Ｌ１の光軸上の厚さＴ１と第２レンズ群Ｌ２の光軸上の厚さＴ２の和との比を規定したものである。条件式（７）の上限値を超えて、第１レンズ群の光軸上の厚さＴ１と第２レンズ群の光軸上の厚さＴ２の和が大きくなると、撮像装置が大型化するため好ましくない。条件式（７）の下限値を超えてＴ１＋Ｔ２の値が小さくなると、第１レンズ群Ｌ１、第２レンズ群Ｌ２の屈折力が強くなり、望遠側において軸上色収差や像面湾曲を補正することが困難になるため好ましくない。
【００４８】
なお、好ましくは条件式（３）から条件式（７）の数値範囲を次の如く設定するのがよい。
０．０３  ＜  ｜ｆ２｜／ｆｔ  ＜  ０．０８  …  （３ａ）
１．８０  ＜  ｜ｆ３｜／√（ｆｗ×ｆｔ）  ＜  ３．５０  …  （４ａ）
７．００  ＜  （β２ｔ／β２ｗ）×（β３ｔ／β３ｗ）  ＜  ２２．００  …（５ａ）
１．９３  ＜  Ｎｄ１ｎ  ＜  ２．３０  …  （６ａ）
０．０８  ＜  （Ｔ１＋Ｔ２）／ｆｔ  ＜  ０．１５  …  （７ａ）
【００４９】
また、さらに好ましくは条件式（３）から条件式（７）の数値範囲を次の如く設定すると、各条件式がもたらす効果を最大限に得られる。
０．０３  ＜  ｜ｆ２｜／ｆｔ  ≦  ０．０６  …  （３ｂ）
１．８０  ＜  ｜ｆ３｜／√（ｆｗ×ｆｔ）  ＜  ３．３０  …  （４ｂ）
７．００  ＜  （β２ｔ／β２ｗ）×（β３ｔ／β３ｗ）  ＜  ２０．００  …（５ｂ）
１．９３  ＜  Ｎｄ１ｎ  ＜  ２．２０  …  （６ｂ）
０．０８  ＜  （Ｔ１＋Ｔ２）／ｆｔ  ＜  ０．１３  …  （７ｂ）
【００５０】
次に、各実施例のレンズ構成について説明する。各レンズは特に断りがない限り、物体側から像側へ順に配置されている。実施例１乃至３のズームレンズは、物体側より像側へ順に、正の屈折力の第１レンズ群Ｌ１、負の屈折力の第２レンズ群Ｌ２、負の屈折力の第３レンズ群Ｌ３、正の屈折力の第４レンズ群Ｌ４、負の屈折力の第５レンズ群Ｌ５、正の屈折力の第６レンズ群Ｌ６から成る。
【００５１】
実施例４のズームレンズは、物体側より像側へ順に、正の屈折力の第１レンズ群Ｌ１、負の屈折力の第２レンズ群Ｌ２、負の屈折力の第３レンズ群Ｌ３、正の屈折力の第４レンズ群Ｌ４、正の屈折力の第５レンズ群Ｌ５から成る。
【００５２】
実施例５のズームレンズは、物体側より像側へ順に、正の屈折力の第１レンズ群Ｌ１、負の屈折力の第２レンズ群Ｌ２、負の屈折力の第３レンズ群Ｌ３、正の屈折力の第４レンズ群Ｌ４、正の屈折力の第５レンズ群Ｌ５、負の屈折力の第６レンズ群Ｌ６、正の屈折力の第７レンズ群Ｌ７から成る。
【００５３】
実施例１のズームレンズでは、第１レンズ群Ｌ１は、像側に凹面を向けたメニスカス形状の負レンズと両凸形状の正レンズの接合レンズ、物体側に凸面を向けたメニスカス形状の正レンズから成る。第２レンズ群Ｌ２は、像側に凹面を向けたメニスカス形状の負レンズ、両凹形状の負レンズ、両凸形状の正レンズから成る。第３レンズ群Ｌ３は、物体側に凹面を向けた凹レンズから成る。第４レンズ群Ｌ４は、両凸形状の正レンズ、像側に凹面を向けたメニスカス形状の負レンズ、像側に凹面を向けたメニスカス形状の負レンズと両凸形状の正レンズの接合レンズから成る。第５レンズ群Ｌ５は、像側に凹面を向けたメニスカス形状の負レンズと物体側に凸面を向けたメニスカス形状の正レンズの接合レンズから成る。第６レンズ群Ｌ６は、両凸形状の正レンズから成る。
【００５４】
実施例２及び実施例３のズームレンズでは、第１レンズ群Ｌ１は、像側に凹面を向けたメニスカス形状の負レンズと両凸形状の正レンズの接合レンズと、物体側に凸面を向けたメニスカス形状の正レンズから成る。第２レンズ群Ｌ２は、両凹形状の負レンズ、両凹形状の負レンズ、両凸形状の正レンズから成る。第３レンズ群Ｌ３は、物体側に凹面を向けた凹レンズから成る。第４レンズ群Ｌ４は、両凸形状の正レンズ、像側に凹面を向けたメニスカス形状の負レンズ、像側に凹面を向けたメニスカス形状の負レンズと両凸形状の正レンズの接合レンズから成る。第５レンズ群Ｌ５は、両凹形状の負レンズから成る。第６レンズ群Ｌ６は、像側に凹面を向けたメニスカス形状の負レンズと両凸形状の正レンズから成る。
【００５５】
実施例４のズームレンズでは、第１レンズ群Ｌ１は、像側に凹面を向けたメニスカス形状の負レンズと物体側に凸面を向けたメニスカス形状の正レンズの接合レンズ、物体側に凸面を向けたメニスカス形状の正レンズから成る。第２レンズ群Ｌ２は、像側に凹面を向けたメニスカス形状の負レンズ、両凹形状の負レンズ、両凸形状の正レンズから成る。第３レンズ群Ｌ３は、物体側に凹面を向けた凹レンズから成る。第４レンズ群Ｌ４は、両凸形状の正レンズ、像側に凹面を向けたメニスカス形状の負レンズ、両凸形状の正レンズと物体側に凹面を向けたメニスカス形状の負レンズの接合レンズ、両凹形状の負レンズから成る。第５レンズ群Ｌ５は、両凸形状の正レンズと物体側に凹面を向けたメニスカス形状の負レンズとの接合レンズから成る。
【００５６】
実施例５のズームレンズでは、第１レンズ群Ｌ１は、像側に凹面を向けたメニスカス形状の負レンズと両凸形状の正レンズの接合レンズ、物体側に凸面を向けたメニスカス形状の正レンズから成る。第２レンズ群Ｌ２は、像側に凹面を向けたメニスカス形状の負レンズ、両凹形状の負レンズ、両凸形状の正レンズと両凹形状の負レンズの接合レンズから成る。第３レンズ群Ｌ３は、物体側に凹面を向けた凹レンズから成る。第４レンズ群Ｌ４は、両凸形状の正レンズ、像側に凹面を向けたメニスカス形状の負レンズから成る。第５レンズ群Ｌ５は、像側に凹面を向けたメニスカス形状の負レンズと両凸形状の正レンズの接合レンズから成る。第６レンズ群Ｌ６は、像側に凹面を向けたメニスカス形状の負レンズと物体側に凸面を向けたメニスカス形状の正レンズの接合レンズから成る。第７レンズ群Ｌ７は、両凸形状の正レンズから成る。
【００５７】
実施例１から実施例５において、第２レンズ群Ｌ２に非球面レンズを採用することにより、広角端における像面湾曲を良好に補正している。また、第４レンズ群Ｌ４に非球面レンズを採用することにより、所定の明るさを確保しつつ、広角側における球面収差やコマ収差を良好に補正することができる。
【００５８】
次に、本発明の実施例１〜５にそれぞれ対応する数値実施例１〜５を示す。各数値実施例において、ｉは物体側からの光学面の順序を示す。ｒｉは第ｉ番目の光学面（第ｉ面）の曲率半径、ｄｉは第ｉ面と第ｉ＋１面との間の間隔、ｎｄｉ、νｄｉはそれぞれｄ線に対する第ｉ番目の光学部材の材料の屈折率、アッベ数を示す。またｋを離心率、Ａ４、Ａ６、Ａ８、Ａ１０を非球面係数、面頂点を基準にして光軸からの高さｈの位置における光軸方向の変位をｘとするとき、非球面形状は、
ｘ＝（ｈ２／Ｒ）／［１＋｛１−（１＋ｋ）（ｈ／Ｒ）２｝１／２］＋Ａ４ｈ４＋Ａ６ｈ６＋Ａ８ｈ８＋Ａ１０ｈ１０
で表される。但しＲは近軸曲率半径である。各数値実施例における上述した条件式との対応を表１に示す。
【００５９】
［数値実施例１］
単位：ｍｍ
面データ
面番号       r        d      nd         νd
1         43.918    0.90   2.00069    25.5
2         26.090    3.90   1.49700    81.5
3       -278.723    0.05      
4         27.108    2.01   1.75500    52.3
5        143.407  (可変)    
6        256.243    0.70   1.85135    40.1 
7*         7.830    3.38    
8        -17.382    0.40   1.88300    40.8
9         15.928    0.18     
10         14.715    1.98   1.95906    17.5
11        -74.127  (可変)    
12          ∞       8.50   1.88300    40.8
13          ∞       1.00    
14        -11.465    0.50   1.48749    70.2
15        -19.802  (可変)     
16*         8.759    1.96   1.55332    71.7
17*       -66.288    1.00     
18(絞り)    ∞       1.32      
19         16.684    0.45   1.90366    31.3
20          7.645    1.09    
21          9.915    0.45   1.69350    53.2
22          7.931    2.21   1.48749    70.2
23        -19.951    0.65    
24          ∞     (可変)     
25        128.708    0.50   1.63854    55.4
26          6.688    1.31   1.58144    40.8
27         12.258  (可変)    
28*         9.845    2.95   1.48749    70.2
29        -93.437    4.23    
像面        ∞   
非球面データ
第7面
K = 1.20473e-001  A 4=-7.60123e-005  A 6=-1.18887e-007  A 8=-3.94515e-009
第16面
K =-1.55242e-001  A 4=-6.44580e-005  A 6= 3.06972e-007  A 8=-6.29343e-009
第17面
K =-1.04221e+001  A 4= 1.23010e-004
第28面
K = 3.88241e-001  A 4=-4.56262e-005
各種データ
ズーム比     24.53 
広角     中間     望遠
焦点距離       4.83    24.11   118.59
Fナンバー      3.51     5.90     7.00
画角          34.89     9.13     1.87
像高           3.37     3.88     3.88
レンズ全長    81.39    87.22    98.53
BF             4.23     4.23     4.23
d 5            0.47    11.66    23.00
d11            6.09     0.73     0.70
d15           20.27     6.80     0.37
d24            4.78    13.88    12.01
d27            8.17    12.53    20.84
ズームレンズ群データ
群  始面    焦点距離  レンズ構成長  前側主点位置  後側主点位置
1    1      36.03         6.86         2.23         -2.07
2    6      -7.30         6.64         0.79         -4.35
3   14     -56.98        10.00         5.04         -0.81
4   16      13.98         9.13         2.04         -6.28
5   25     -19.58         1.81         1.10         -0.03
6   28      18.44         2.95         0.19         -1.81
単レンズデータ
レンズ  始面  焦点距離
1       1    -65.89
2       2     48.21
3       4     43.95
4       6     -9.50
5       8     -9.36
6      10     12.94
7      12      0.00
8      14    -56.98
9      16     14.11
10      19    -15.99
11      21    -62.97
12      22     11.95
13      25    -11.07
14      26     23.30
15      28     18.44
【００６０】
［数値実施例２］
単位：ｍｍ
面データ
面番号       r        d      nd         νd  
1         48.702    0.85   2.00330    28.3  
2         22.510    6.65   1.43875    94.9   
3       -152.022    0.05   
4         24.050    3.85   1.74400    44.8  
5        488.190  (可変)   
6       -457.939    0.50   1.85135    40.1  
7*         7.464    4.34   
8        -16.387    0.40   1.88300    40.8  
9         25.890    0.15   
10         24.891    2.00   2.10205    16.8   
11        -44.080  (可変)  
12          ∞       8.50   2.00330    28.3 
13          ∞       1.00      
14        -18.365    0.50   1.77250    49.6   
15        -31.087  (可変)     
16*         9.158    1.90   1.55332    71.7
17*     -2178.349    0.50   
18(絞り)    ∞       3.17    
19         10.714    0.65   1.88100    40.1  
20          7.570    1.40    
21         11.494    0.50   1.88300    40.8  
22          7.846    1.95   1.49700    81.5  
23        -58.233    0.65     
24          ∞     (可変)    
25        -77.173    0.50   1.88300    40.8  
26         24.730  (可変)     
27         14.783    0.50   1.77250    49.6 
28          9.278    3.95   1.55332    71.7  
29        -29.911  (可変)     
像面        ∞   
非球面データ
第7面
K =-1.45247e-001  A 4=-7.82786e-005  A 6=-1.54198e-006  A 8= 5.23943e-008  A10=-7.86689e-010
第16面
K = 6.57313e-001  A 4=-1.63431e-004  A 6= 8.93903e-006  A 8= 3.33620e-007
第17面
K = 3.34004e+005  A 4= 1.12690e-004  A 6= 1.19421e-005  A 8= 5.49179e-007
各種データ
ズーム比     44.41 
広角     中間     望遠
焦点距離       4.62    13.02   205.00
Fナンバー      3.91     6.14     9.00
画角          36.14    16.58     1.08
像高           3.37     3.88     3.88
レンズ全長    99.06   103.11   113.37
BF            12.11    10.81     4.28
d 5            0.37     7.52    24.26
d11           10.36     7.26     0.78
d15           21.79    10.72     0.59
d24            1.23     8.49     6.37
d26            8.76    13.86    32.63
d29           12.11    10.81     4.28
ズームレンズ群データ
群  始面    焦点距離  レンズ構成長  前側主点位置  後側主点位置
1    1      35.10        11.40         5.35         -1.93
2    6      -7.36         7.39         0.48         -5.55
3   14     -59.10        10.00         4.83         -0.70
4   16      15.74        10.72         0.91         -8.46
5   25     -21.16         0.50         0.20         -0.06
6   27      21.81         4.45         1.00         -1.93
単レンズデータ
レンズ  始面  焦点距離
1       1    -42.41
2       2     45.21
3       4     33.88
4       6     -8.62
5       8    -11.31
6      10     14.66
7      12      0.00
8      14    -59.10
9      16     16.49
10      19    -32.42
11      21    -29.93
12      22     14.05
13      25    -21.16
14      27    -33.58
15      28     13.27
【００６１】
［数値実施例３］
単位：ｍｍ
面データ
面番号       r        d      nd         νd  
1         48.389    0.85   2.00330    28.3  
2         22.511    6.65   1.43875    94.9 
3       -149.842    0.05   
4         24.003    3.85   1.74400    44.8  
5        465.143  (可変)   
6       -256.522    0.50   1.85135    40.1   
7*         7.602    4.20     
8        -16.847    0.40   1.88300    40.8 
9         27.409    0.15    
10         25.939    2.00   2.10205    16.8  
11        -41.028  (可変)    
12          ∞       8.50   2.00330    28.3  
13          ∞       1.00   
14        -18.360    0.50   1.77250    49.6  
15        -31.040  (可変)   
16*         9.173    1.90   1.55332    71.7  
17*     -2058.714    0.50    
18(絞り)    ∞       2.26  
19         10.728    0.65   1.88100    40.1 
20          7.584    1.40  
21         11.281    0.50   1.88300    40.8   
22          7.931    1.95   1.49700    81.5   
23        -39.786    0.65     
24          ∞     (可変)   
25        -69.516    0.50   1.88300    40.8   
26         24.143  (可変)    
27         15.637    0.50   1.77250    49.6  
28          9.752    3.50   1.55332    71.7   
29        -35.945  (可変)   
像面        ∞   
非球面データ
第7面
K =-1.08157e-001  A 4=-1.05811e-004  A 6=-1.65146e-007  A 8=-1.42280e-008  A10=-1.33930e-010
第16面
K = 3.24025e-001  A 4=-1.10408e-004  A 6= 1.16455e-005  A 8= 3.82088e-007
第17面
K = 3.02547e+005  A 4= 1.15022e-004  A 6= 1.30951e-005  A 8= 6.25706e-007
各種データ
ズーム比     44.20 
広角     中間     望遠
焦点距離       4.64    11.71   205.00
Fナンバー      3.91     5.36     9.00
画角          36.01    18.31     1.08
像高           3.37     3.88     3.88
レンズ全長    98.45   102.34   112.78
BF             9.70    20.85     4.30
d 5            0.39     7.27    24.18
d11           10.06     7.07     0.60
d15           23.96     9.39     0.29
d24            2.00     2.00     2.00
d26            9.37    12.79    38.44
d29            9.70    20.85     4.30
ズームレンズ群データ
群  始面    焦点距離  レンズ構成長  前側主点位置  後側主点位置
1    1      34.92        11.40         5.33         -1.96
2    6      -7.72         7.25         0.34         -5.64
3   14     -59.20        10.00         4.83         -0.70
4   16      14.84         9.81         1.38         -7.21
5   25     -20.24         0.50         0.20         -0.07
6   27      24.11         4.00         0.79         -1.82
単レンズデータ
レンズ  始面  焦点距離
1       1    -42.66
2       2     45.14
3       4     33.89
4       6     -8.67
5       8    -11.77
6      10     14.65
7      12      0.00
8      14    -59.20
9      16     16.51
10      19    -32.53
11      21    -32.52
12      22     13.49
13      25    -20.24
14      27    -34.83
15      28     14.25
【００６２】
［数値実施例４］
単位：ｍｍ
面データ
面番号       r        d      nd         νd  
1         36.776    0.85   2.00069    25.5   
2         22.110    4.95   1.43875    94.9   
3       1351.311    0.05  
4         24.652    2.55   1.80400    46.6   
5        157.681  (可変)   
6*       228.980    0.50   1.85135    40.1  
7*         6.782    4.42   
8        -17.023    0.40   1.88300    40.8  
9         29.583    0.15    
10         20.003    2.20   1.95906    17.5   
11        -47.260  (可変)      
12          ∞       8.50   1.80610    33.3  
13          ∞       1.00   
14        -19.436    0.50   1.77250    49.6  
15        -28.791  (可変)   
16*         8.252    1.90   1.55332    71.7
17*      -181.321    0.50
18(絞り)    ∞       1.21
19         11.131    0.60   1.88100    40.1
20          7.440    1.40
21        249.542    1.75   1.49700    81.5
22         -7.343    0.50   1.88300    40.8
23        -10.222    0.65
24          ∞       2.67
25        -66.991    0.50   1.88300    40.8
26         40.302  (可変)
27         19.599    2.30   1.55332    71.7
28        -21.072    0.50   1.77250    49.6
29        -47.867  (可変)
像面        ∞
非球面データ
第6面
K =-1.22295e+004  A 4= 3.57110e-005  A 6=-1.59013e-006  A 8= 1.07047e-008  A10= 4.38915e-012
第7面
K =-8.44791e-001  A 4= 1.56920e-004  A 6= 6.70337e-006  A 8=-1.67386e-007  A10= 1.34759e-009
第16面
K =-6.79751e-001  A 4= 5.82769e-006  A 6= 7.65461e-006  A 8= 3.00753e-008
第17面
K =-5.77904e+003  A 4= 9.92798e-006  A 6= 1.45266e-005  A 8=-2.27070e-007
各種データ
ズーム比     30.18 
広角     中間     望遠
焦点距離       4.64    11.46   140.00
Fナンバー      3.51     4.90     6.99
画角          36.01    18.69     1.59
像高           3.37     3.88     3.88
レンズ全長    85.42    88.05    99.49
BF            11.60    19.63     4.56
d 5            0.35     5.96    23.06
d11            9.22     6.25     0.57
d15           18.96     7.19     0.24
d26            4.74     8.48    30.50
d29           11.60    19.63     4.56
ズームレンズ群データ
群  始面    焦点距離  レンズ構成長  前側主点位置  後側主点位置
1    1      34.47         8.40         3.11         -2.29
2    6      -7.44         7.67         0.35         -6.02
3   14     -79.28        10.00         5.11         -0.89
4   16      19.22        11.68        -4.39        -11.47
5   27      29.72         2.80         0.39         -1.40
単レンズデータ
レンズ  始面  焦点距離
1       1    -57.06
2       2     51.17
3       4     36.04
4       6     -8.22
5       8    -12.19
6      10     14.89
7      12      0.00
8      14    -79.28
9      16     14.32
10      19    -27.57
11      21     14.39
12      22    -32.14
13      25    -28.44
14      27     18.73
15      28    -49.13
【００６３】
［数値実施例５］
単位：ｍｍ
面データ
面番号       r        d      nd         νd 
1         57.631    0.90   2.00330    28.3  
2         25.367    4.83   1.43875    94.9 
3        -69.883    0.05   
4         22.001    2.48   1.80400    46.6  
5        106.137  (可変)     
6         95.874    0.45   2.00100    29.1  
7         10.450    2.78   
8*       -16.455    0.50   1.88202    37.2  
9         20.729    0.35   
10         21.154    2.45   1.95906    17.5  
11        -17.573    0.40   1.80400    46.6 
12         82.486  (可変)   
13          ∞       8.50   1.88300    40.8  
14          ∞       1.00    
15        -10.472    0.50   1.48749    70.2   
16        -17.053  (可変)    
17*         8.190    2.65   1.55332    71.7   
18*       -95.019    1.00    
19(絞り)    ∞       1.32    
20         17.046    0.45   1.91082    35.3  
21          6.308  (可変)  
22          7.410    0.45   1.84666    23.8   
23          7.248    2.78   1.48749    70.2   
24        -18.015    0.65     
25          ∞     (可変)   
26         19.921    0.50   1.91082    35.3   
27          5.972    1.45   1.76182    26.5 
28         10.148  (可変)   
29*        27.530    2.52   1.55332    71.7   
30        -16.698    5.20     
像面        ∞
非球面データ
第8面
K = 3.54605e+000  A 4= 8.74491e-005  A 6= 1.63050e-006  A 8=-2.49340e-008  A10= 6.26026e-010
第17面
K = 2.69684e-001  A 4=-1.37213e-005  A 6=-3.04358e-007  A 8= 2.39404e-007
第18面
K =-6.00041e+001  A 4= 3.26354e-004  A 6= 2.40860e-006  A 8= 3.40543e-007
第29面
K =-1.12271e+002  A 4= 3.98557e-004  A 6=-1.18444e-005  A 8= 1.47184e-007
各種データ
ズーム比     25.08 
広角     中間     望遠
焦点距離       5.26    11.69   132.00
Fナンバー      4.01     6.98     7.10
画角          32.94    18.34     1.68
像高           3.41     3.88     3.88
レンズ全長    80.46    81.20    98.63
BF             5.20     5.20     5.20
d 5            0.60     0.18    21.45
d12            5.68     6.84     3.00
d16           17.32     5.09     0.37
d21            1.07     1.09     1.15
d25            5.34    12.25     3.49
d28            6.30    11.59    25.01
ズームレンズ群データ
群  始面    焦点距離  レンズ構成長  前側主点位置  後側主点位置
1    1      32.00         8.26         3.78         -1.44
2    6      -6.84         6.93         1.11         -3.80
3   15     -57.09        10.00         4.97         -0.89
4   17      88.14         5.42       -33.54        -27.32
5   22      11.23         3.88         0.51         -2.35
6   26     -19.30         1.95         1.71          0.57
7   29      19.17         2.52         1.03         -0.63
単レンズデータ
レンズ  始面  焦点距離
1       1    -45.80
2       2     43.09
3       4     34.07
4       6    -11.75
5       8    -10.33
6      10     10.33
7      11    -17.99
8      13      0.00
9      15    -57.09
10      17     13.75
11      20    -11.22
12      22    1443.78
13      23     11.00
14      26     -9.53
15      27     16.57
16      29     19.17
【００６４】
【表１】
2014109666.tif 000003
【００６５】
次に、本発明のズームレンズを撮影光学系として用いたデジタルスチルカメラの実施例について、図１２を用いて説明する。図１２において、２０はカメラ本体、２１は実施例１〜５で説明したいずれかのズームレンズによって構成された撮影光学系である。２２はカメラ本体に内蔵され、撮影光学系２１によって形成された被写体像を受光するＣＣＤセンサやＣＭＯＳセンサ等の固体撮像素子（光電変換素子）である。２３は固体撮像素子２２によって光電変換された被写体像に対応する情報を記憶するメモリである。２４は液晶ディスプレイパネル等によって構成され、固体撮像素子２２上に形成された被写体像を観察するためのファインダである。
【００６６】
以上、本発明の好ましい実施形態について説明したが、本発明はこれらの実施形態に限定されず、その要旨の範囲内で種々の変形及び変更が可能である。また信号処理回路により歪曲収差や倍率色収差を電気的に補正することで、収差の少ない画像を出力することも可能である。
【符号の説明】
【００６７】
Ｌ１  第１レンズ群
Ｌ２  第２レンズ群
Ｌ３  第３レンズ群
Ｌ４  第４レンズ群
Ｌ５  第５レンズ群
Ｌ６  第６レンズ群
Ｌ７  第７レンズ群
ｄ  ｄ線
ｇ  ｇ線
ΔＭ  メリディオナル像面
ΔＳ  サジタル像面
ＰＲ  プリズム（反射部材）
ＳＰ  Ｆナンバー光束決定部材
ＦＳ  メカ絞り
ＩＰ  像面
Ｇ  フェースプレートやローパスフィルター等のガラスブロック
ω  半画角
Ｆｎｏ  Ｆナンバー
【図１】
2014109666.tif 000004
【図２】
2014109666.tif 000005
【図３】
2014109666.tif 000006
【図４】
2014109666.tif 000007
【図５】
2014109666.tif 000008
【図６】
2014109666.tif 000009
【図７】
2014109666.tif 000010
【図８】
2014109666.tif 000011
【図９】
2014109666.tif 000012
【図１０】
2014109666.tif 000013
【図１１】
2014109666.tif 000014
【図１２】
2014109666.tif 000015